(57)【要約】【課題】  リクライニング式の椅子等において背もたれを適宜の角度に傾斜させ、その姿勢を維持ロックする機構に関し、特に機構そのものがシンプルであり、且つ角度設定も小刻みに選択でき、しかも角度を変更する操作も極めて容易に行い得ることを課題とする。【解決手段】  本発明のロックアジャスト機構４は、内歯車状または外歯車状の不動ギヤ２０と、これに噛合し得る複数の変位ギヤ３０とを具えて成り、各変位ギヤ３０は、カム４０によって一挙に噛合方向に作動するように形成され、通常の状態では、このカム４０により、変位ギヤ３０を不動ギヤ２０に噛み合わせて、固定フレームに対する可動フレーム２の姿勢を維持ロックするとともに、可動フレーム２を適宜傾倒させる際には、カム４０の操作により変位ギヤ３０が不動ギヤ２０から離反可能な状態とし、両ギヤ部材の噛合状態を一旦遮断した状態で、可動フレーム２の傾倒を行うようにしたことを特徴とする。【選択図】図２
2010252843.tif 000002
【特許請求の範囲】
【請求項１】
固定フレーム側に取り付けられ、複数の歯が周状に連続的に形成されて成る不動ギヤと、
可動フレーム側に取り付けられ、前記不動ギヤに対して、その径方向に接近／離反自在に構成されることにより、不動ギヤとの噛合／非噛合状態が切り替えられるように周状に配置されて成る複数の変位ギヤとを具えたロックアジャスト機構であって、
前記複数の変位ギヤは、カムによって一挙に噛合方向に作動するように形成され、通常の状態では、このカムにより、変位ギヤを不動ギヤに噛み合わせて、固定フレームに対する可動フレームの姿勢を維持ロックするとともに、
可動フレームを固定フレームに対し適宜傾倒させる際には、カムの操作により変位ギヤが不動ギヤから離反可能な状態とし、両ギヤ部材の噛合状態を一旦遮断した状態で、可動フレームの傾倒を行うようにしたことを特徴とするロックアジャスト機構。
【請求項２】
前記各々の変位ギヤには、このものを不動ギヤに対して非噛合方向に作動させる付勢力を付与しておくものであり、
不動ギヤに噛み合っていた変位ギヤを、カムの操作によって離反可能な状態とした際には、その付勢力によって各々の変位ギヤが自然に不動ギヤから離れ、非噛合状態となるようにしたことを特徴とする請求項１記載のロックアジャスト機構。
【請求項３】
前記カムには、各変位ギヤを噛合方向に作動させる比較的強い付勢力を付与しておくものであり、且つ、この付勢力は、変位ギヤを非噛合方向に作動させる付勢力よりも大きく設定され、
通常の状態では、この付勢力の差により、各変位ギヤを、自然に不動ギヤに噛合させて固定フレームに対する可動フレームの姿勢を維持ロックするものであり、
また、固定フレームに対し可動フレームを適宜傾倒させる際には、カムに与えていた噛合方向への強い付勢力を一旦遮断することにより、変位ギヤを弱い付勢力によって自然に非噛合状態に設定して、可動フレームの傾倒を行うようにしたことを特徴とする請求項２記載のロックアジャスト機構。
【請求項４】
前記不動ギヤは、内側に噛合歯を有する内歯車状に形成されるとともに、
前記変位ギヤは、外側にギヤ部を有したものが、不動ギヤの内側において周状に配置されて成ることを特徴とする請求項１、２または３記載のロックアジャスト機構。
【請求項５】
前記変位ギヤは、不動ギヤに対し接近／離反できるように回動自在に設けられるものであり、
変位ギヤを不動ギヤに噛合させる際には、変位ギヤのギヤ部を外周側に張り出させるように変位ギヤを回動させて、不動ギヤとの噛合状態を得るものであり、一方、非噛合状態を得るにおいては、変位ギヤのギヤ部を内周側に収めるように変位ギヤを回動させて、非噛合状態を得るようにしたことを特徴とする請求項４記載のロックアジャスト機構。
【請求項６】
前記不動ギヤは、変位ギヤとの噛合歯が円周状に３６０度に渡って形成されることを特徴とする、請求項１、２、３、４または５記載のロックアジャスト機構。
【発明の詳細な説明】
【技術分野】
【０００１】
本発明は、例えばリクライニング式の椅子やベビーカーあるいは車椅子等において固定フレーム（ベースフレーム）に対しチェア部分を適宜の角度に傾斜（傾倒）させ、その状態を維持ロックできるようにした機構（これをロックアジャスト機構とする）に関するものであり、特にその構成がシンプルであり、且つ設定角度も小刻みに設定でき、しかも角度を変更する操作が容易に行い得るようにした新規なロックアジャスト機構に係るものである。
【背景技術】
【０００２】
例えば、背もたれがリクライニング式である座椅子等において、背もたれの角度調整及び変更した背もたれの位置（姿勢）を、ある角度で維持ロックするには、従来、ラチェット金具による機構が広く知られている（例えば特許文献１、２参照）。
しかし、通常のラチェット金具による角度調節（維持ロックも含む）は、大雑把な角度調節がほとんどであり、必ずしも使用者の要求つまり快適な座り心地を満足できないことがあった。
また、通常のラチェット機構による角度調節では、背もたれを一旦、フラットな状態に倒してから徐々に起こして行き、使用者が自らの身体や使用状況に応じた角度に設定する操作が一般的である。すなわち、通常のラチェット機構での角度設定は、角度の設定方向が一方向であり、そのため少し背もたれを起こし過ぎたと感じた場合であっても、背もたれを寝かす方向にすぐに戻すことはできず、もう一度、背もたれをほぼ完全なフラット状態まで倒してから、徐々に起こしてくるという操作が一般的となっており、これが煩わしい作業であった。
【０００３】
このようなことから、角度調節が小刻みに行え、しかも角度調節が一定の方向（背もたれを起こす方向）に限定されない機構も案出されている（例えば特許文献３参照）。この特許文献３では、円板状の回動部材を面方向に一対組み合わせるジョイント式（ジョイント装置）であり、各々の回動部材の対向接触面（当接面となる面同士）に予め放射状にギヤ（互いに噛み合う歯）を形成しておき、これを面方向で密着させて適宜の角度を保つものである（いわゆる菊座）。
これはジョイント部分（装置）がコンパクトに構成できるという利点があるものの、角度調整時には操作性が良くないことが懸念される。すなわち、上記発明では、面方向のジョイントであることから放射状に形成した歯同士を全て噛合させるものであり、このため設定した角度を保持する維持力としては強固なものが得られるかも知れないが、強固に密着させるあまり、その後の角度調節時での引き離しが困難となることが懸念される。
また、少なくとも一方の回動部材には、歯を形成した反対側の面等に、歯面同士をより強固に密着させるロック構造を設ける必要がある。このため、このような構成では、ジョイント装置自体を小さく形成しても、ここに精緻で且つ多彩な構造を多く盛り込むことになり、却って全体の構成や形状としては、複雑化するということも懸念される。
【０００４】
更に、当該装置にあっては、回動部材同士の噛み合いが面方向であるため、角度変更時には各回動部材を面方向に一旦、離反・接近させる操作となる。このため、単に真っ直ぐな棒状部材同士をジョイントする場合には、それ程、作業が煩わしくなくても、枠状部材同士のジョイントでは、この面方向への移動と、ジョイントされた部材の角度変更とがそぐわないことが考えられる。すなわち、例えば背もたれ等の枠状部材を、座部の枠状部材に対して左右二カ所でジョンイントした場合には、背もたれの傾斜角を設定変更する都度、背もたれ（枠状部材）を傾斜方向とは無関係な左右方向に移動させることになり、必ずしも操作性が良いとは言えず、このような点で改善の余地があった。
【先行技術文献】
【特許文献】
【０００５】
【特許文献１】実用新案登録第３１２３６３号公報
【特許文献２】実用新案登録第３０００３７９号公報
【特許文献３】特開２００６−３４９０２０号公報
【発明の概要】
【発明が解決しようとする課題】
【０００６】
本発明は、このような背景を認識してなされたものであって、リクライニング式の椅子やベビーカー等において背もたれ部分やチェア部分を適宜の角度に傾斜させ、その姿勢を維持ロックする機構に関するものであり、特にその機構がシンプルであり、且つ角度設定も小刻みに選択でき、しかも角度を変更する操作も極めて容易に行い得る新規なロックアジャスト機構を提供するものである。
【課題を解決するための手段】
【０００７】
まず請求項１記載のロックアジャスト機構は、固定フレーム側に取り付けられ、複数の歯が周状に連続的に形成されて成る不動ギヤと、可動フレーム側に取り付けられ、前記不動ギヤに対して、その径方向に接近／離反自在に構成されることにより、不動ギヤとの噛合／非噛合状態が切り替えられるように周状に配置されて成る複数の変位ギヤとを具えたロックアジャスト機構であって、前記複数の変位ギヤは、カムによって一挙に噛合方向に作動するように形成され、通常の状態では、このカムにより、変位ギヤを不動ギヤに噛み合わせて、固定フレームに対する可動フレームの姿勢を維持ロックするとともに、可動フレームを固定フレームに対し適宜傾倒させる際には、カムの操作により変位ギヤが不動ギヤから離反可能な状態とし、両ギヤ部材の噛合状態を一旦遮断した状態で、可動フレームの傾倒を行うようにしたことを特徴として成るものである。
【０００８】
また請求項２記載のロックアジャスト機構は、前記請求項１記載の要件に加え、前記各々の変位ギヤには、このものを不動ギヤに対して非噛合方向に作動させる付勢力を付与しておくものであり、不動ギヤに噛み合っていた変位ギヤを、カムの操作によって離反可能な状態とした際には、その付勢力によって各々の変位ギヤが自然に不動ギヤから離れ、非噛合状態となるようにしたことを特徴として成るものである。
【０００９】
また請求項３記載のロックアジャスト機構は、前記請求項２記載の要件に加え、前記カムには、各変位ギヤを噛合方向に作動させる比較的強い付勢力を付与しておくものであり、且つ、この付勢力は、変位ギヤを非噛合方向に作動させる付勢力よりも大きく設定され、通常の状態では、この付勢力の差により、各変位ギヤを、自然に不動ギヤに噛合させて固定フレームに対する可動フレームの姿勢を維持ロックするものであり、また、固定フレームに対し可動フレームを適宜傾倒させる際には、カムに与えていた噛合方向への強い付勢力を一旦遮断することにより、変位ギヤを弱い付勢力によって自然に非噛合状態に設定して、可動フレームの傾倒を行うようにしたことを特徴として成るものである。
【００１０】
また請求項４記載のロックアジャスト機構は、前記請求項１、２または３記載の要件に加え、前記不動ギヤは、内側に噛合歯を有する内歯車状に形成されるとともに、前記変位ギヤは、外側にギヤ部を有したものが、不動ギヤの内側において周状に配置されて成ることを特徴として成るものである。
【００１１】
また請求項５記載のロックアジャスト機構は、前記請求項４記載の要件に加え、前記変位ギヤは、不動ギヤに対し接近／離反できるように回動自在に設けられるものであり、変位ギヤを不動ギヤに噛合させる際には、変位ギヤのギヤ部を外周側に張り出させるように変位ギヤを回動させて、不動ギヤとの噛合状態を得るものであり、一方、非噛合状態を得るにおいては、変位ギヤのギヤ部を内周側に収めるように変位ギヤを回動させて、非噛合状態を得るようにしたことを特徴として成るものである。
【００１２】
また請求項６記載のロックアジャスト機構は、前記請求項１、２、３、４または５記載の要件に加え、前記不動ギヤは、変位ギヤとの噛合歯が円周状に３６０度に渡って形成されることを特徴として成るものである。
【発明の効果】
【００１３】
まず請求項１記載の発明によれば、ギヤ部材に形成される噛合歯の１ピッチ毎に可動フレームの傾倒角が変更できるため、極めて細かい傾倒角が設定できる。また、傾倒角を設定するための操作方向も自由であり、通常の座椅子のように一方向（背もたれを起こす方のみ）ではないため、極めて設定が行い易いものである。更に、可動フレームの傾倒角を変更するにあたり、ギヤ部材の噛合を遮断するには、変位ギヤを不動ギヤの径方向において離反（離開）させるように作動（変位）させて、ギヤ部材の噛合を断つため、可動フレームを全体的に左右方向に動かす必要がなく、シンプルな操作となる（極めて操作性が良い）。
【００１４】
また請求項２記載の発明によれば、各変位ギヤには非噛合方向への付勢力が付与されるため、カムを非噛合方向に作動させた際には、各々の変位ギヤが、その付勢力によって自然に不動ギヤから離れ、非噛合状態となる。従って、カムを非噛合方向に動かす作動と、各変位ギヤを非噛合方向に動かす作動とを連動させる必要がなく、部材間の作動機構としては容易になる。逆に言えば、各変位ギヤに非噛合方向への付勢力を付与しない場合には、カムを非噛合方向に動かす作動に関連付けて各変位ギヤを非噛合方向に動かす機構を別途組み込むものである。
【００１５】
また請求項３記載の発明によれば、各変位ギヤに非噛合方向への弱い付勢力を付与することに加え、カムには、各変位ギヤを噛合方向に作動させる強い付勢力を付与するものである。このため、通常の状態では、この付勢力の差によって、自然に各変位ギヤを不動ギヤに噛合させ、可動フレームの姿勢を維持ロックすることができるとともに、可動フレームの姿勢を変更する際には、カムに付与していた噛合方向への強い付勢力を一旦遮断するだけで、自然に非噛合状態が得られ、可動フレームを傾倒可能な状態にすることができる。従って、可動フレームの姿勢を維持ロックする操作及びこの状態から可動フレームの姿勢を切り替える一連の操作が極めて行い易く、扱い易い機構・製品が提供され得る。
【００１６】
また請求項４記載の発明によれば、ギヤ部材が内歯車状に形成されるため、噛合代が比較的大きく確保でき、可動フレームを適宜の傾倒姿勢で強力に維持ロックできる。また、変位ギヤを作動させるカムが不動ギヤの内側に収められるため、機構全体をコンパクトに構成することができる。
【００１７】
また請求項５記載の発明によれば、変位ギヤを回動自在に形成し、これを内歯車状の不動ギヤに対して接近／離反させることにより、両ギヤ部材の噛合／非噛合状態を得るため、他の回動部材とのバランスが図れ、採用し易い構成が採り得る。
【００１８】
また請求項６記載の発明によれば、不動ギヤは噛合歯が３６０度に渡って全周形成されるため、分断状態に構成される変位ギヤとの噛合が、どの位置でも行え、従って可動フレームの傾倒角をどの位置でも自由に維持ロックできるものである。
【図面の簡単な説明】
【００１９】
【図１】本発明のロックアジャスト機構を適用した、リクライニング式の椅子を示す斜視図、並びにこの機構部分の構造を拡大して示す説明図である。
【図２】本発明のロックアジャスト機構の各構成部材を示す分解斜視図である。
【図３】同上、各構成部材の組付状態を示す骨格的な断面図である。
【図４】本発明のロックアジャスト機構における維持ロック状態（両ギヤ部材の噛合状態）（ａ）、並びにこの（ａ）の状態から噛合を断ち、可動フレームを傾倒できるようにした非噛合状態（ｂ）、並びにこの非噛合状態で可動フレームを適宜回動させた後、この姿勢を再度、維持ロックするようにした状態（ｃ）を示す説明図である。
【図５】固定フレームに対し可動フレームの傾倒状態を異ならせた椅子の二種の様子を示す説明図である。
【図６】両ギヤ部材を噛合させる維持ロック状態を得るにあたり、カムに噛合方向への付勢を与えることなく、操作レバーを、維持ロック位置と傾倒許容位置との２ポジションに切り替えられるようにしておくことにより、維持ロック状態を実現するようにした実施例を骨格的に示す説明図である。
【図７】カムの非噛合方向への回動と、変位ギヤの非噛合方向への回動とを直接連動させることにより、変位ギヤに付与していた非噛合方向への付勢を排除するようにした実施例を示す骨格的な説明図であり、（ａ）は維持ロック状態、（ｂ）は傾倒許容状態を示す。
【図８】変位ギヤを不動ギヤの径方向に直線的に移動させて、噛合／非噛合状態を切り替えるようにした他の実施例を示す説明図である。
【図９】両ギヤ部材を外歯車状に形成したロックアジャスト機構の他の実施例を示す説明図である。
【発明を実施するための形態】
【００２０】
本発明を実施するための形態は、以下の実施例に述べるものをその一つとするとともに、更にその技術思想内において改良し得る種々の手法を含むものである。
なお、説明にあたっては、本発明のロックアジャスト機構４を組み込んだ製品例（適用例）として、リクライニング式の椅子Ａを例に挙げ、まずこの椅子の全体構成から説明する。
本発明のロックアジャスト機構４を適用したリクライニング式の椅子Ａは、一例として図１に示すように、床面や地面などに対し不動状態に設置される固定フレーム１と、この固定フレーム１に対し傾斜自在（傾倒自在）に構成される可動フレーム２と、可動フレーム２に取り付けられ着座者（使用者）の身体を保持するチェア本体３と、固定フレーム１に対して可動フレーム２（チェア本体３）の角度を適宜変更するとともに、その姿勢を維持するロックアジャスト機構４とを具えて成るものである。
【００２１】
このような構造、すなわち可動フレーム２が種々の傾斜角度をとることや、可動フレーム２の自重に加え使用者の体重も掛かること等から、例えばベース部材となる固定フレーム１としては、充分な剛性、強度、耐久性等が要求されるが、例えば本発明を適用する対象製品がベビーカー等である場合には、固定フレーム１等の各構成部材については、使用者（主に乳幼児であるが、自立歩行し難い人の使用も考慮されるため、ここでは「使用者」とした）を守る保護機能はもちろん、軽量化や折り畳みの行い易さなども考慮してその構造が決定される。また、本発明のロックアジャスト機構４をベビーカー等に適用した場合には、固定フレーム１に、走行が行える車輪等も設けられる。なお、固定フレーム１や可動フレーム２においては、内部が空洞状のパイプ材が適用されるのが一般的である。
【００２２】
また、チェア本体３は、使用者の身体（臀部及び背部）を包み込み、使用者を安定した着座姿勢、仰臥姿勢等で保持するものであり、例えば布やキルティングなど肌触りの良いシート素材に、適宜クッション素材（例えば発泡性の合成樹脂等）を組み込みながらバケット状に縫製し、着座者を包み込む受入部（受入空間）を形成することが好ましい。ここで、上記縫製されたものをインナーと称するものであり、このインナーとしては、本出願人による特開２００４−１１４８３４（特許第４１１９７１７号）に開示されたチェア本体（インナー）を適用することが好ましい。これは、特許第４１１９７１７号に開示されたチェア本体（インナー）であれば、左右非対象の張り調整が行えること等から、インナー形状を使用者の身体に合わせて自由に且つ繊細にフィットさせることができ、使用者が長時間使用してもずれ難く、また使用者にとって疲れ難く、身体に優しいインナーであるためである。
【００２３】
以下、本発明のロックアジャスト機構４について説明する。ロックアジャスト機構４は、一対のギヤ部材を噛合させることにより、可動フレーム２の傾倒角度（傾斜角度）を維持ロックするものであり、可動フレーム２の姿勢（傾倒角）を変更する際には、ギヤ部材の噛み合いを一時的に遮断し、可動フレーム２を回動可能な状態にするものである。
このため、ロックアジャスト機構４は、一例として図１に示すように、一対のギヤ部材（これを不動ギヤ２０及び変位ギヤ３０とする）と、カム４０と、ベース５０と、プーリー６０と、軸押さえ７０と、パイプブラケット８０とを具えて成るものである。以下、各構成部材について説明する。
【００２４】
まず、不動ギヤ２０について説明する。このものは、固定フレーム１側に設けられるギヤ部材であり、一例として図２に示すように、固定フレーム接続部２０１と、ギヤ部２０２とを具えて成るものである。本実施例では、ギヤ部２０２は、噛合歯を内周側に有する内歯車状に形成されており、この内歯車（ギヤ部２０２）の一方の側面を覆うように側壁２０３が形成され、更にこの側壁２０３のほぼ中央部からボス２０４がギヤ側に立設されている。
【００２５】
固定フレーム接続部２０１は、上記図２に示すように、断面Ｕ字状を成す一対の板状部材が、その広開側を対向させるように配置され、これによりパイプ状を成す固定フレーム１の内部輪郭が概ね形成される。そして、ここにパイプ状の固定フレーム１が外嵌状態に嵌め込まれることにより、不動ギヤ２０が固定フレーム１と一体化される。
ギヤ部２０２は、複数の歯が周状に連続して形成され、特に本実施例では、上述したように噛合歯が内向きに３６０度に渡って全周に形成されている。
ボス２０４は、後述するカム４０やベース５０を回動・回転自在に保持するものであり、このボス２０４には、後述する軸押さえ７０がボルト等によって締結されるため、端面部分から奥側にネジ切りが施され、ここをメネジ部２０５とするものである。また、図中符号Ｂ１は、この締結用のボルトである（図２では六角穴付ボルトを図示）。
【００２６】
次に、変位ギヤ３０について説明する。変位ギヤ３０は、前記内歯車状に形成された不動ギヤ２０と噛み合うギヤ部材であるが、歯車状（全周に渡って噛合歯を有するリング状）に形成されるのではなく、リング状のものが幾つかに分断された分割構造を採るものである（本実施例では四分割）。従って、個々の変位ギヤ３０は、片状部材とも言え、これらが前記不動ギヤ２０（ギヤ部２０２）の内側（ボス２０４の外側）に等配される。
なお、本実施例では、各々の変位ギヤ３０は、不動ギヤ２０のギヤ部２０２の内側において、回動自在に設けられるものであり（言わばレバー状）、これは変位ギヤ３０を分断構成したために採り得る構成である。言い換えれば、変位ギヤ３０を回動（変位）させるために変位ギヤ３０を分断構成したものであり、これにより不動ギヤ２０との密着／離反（離開）つまり噛合／非噛合状態を切り替えるようにしている。
【００２７】
このような構造上、変位ギヤ３０には、一例として図２に示すように、回動孔３０１が形成されるとともに、実質的に前記不動ギヤ２０（ギヤ部２０２）と噛み合うギヤ部３０２が片状部材の外周側に部分的に形成される。すなわち、変位ギヤ３０は、回動孔３０１が、後述するベース５０のボス５１０に嵌め込まれて回動するものであり、これにより両ギヤ部材の噛合／非噛合状態の切り替えが図られる。具体的には、変位ギヤ３０を外周側つまり拡径方向に張り出すように回動させた際に、不動ギヤ２０との密着（ギヤ部２０２との噛合）が図られるものであり、逆に、変位ギヤ３０を内周側つまり縮径方向に収めるように回動させた際に、不動ギヤ２０との密着を断ち、非噛合状態を得るものである。
【００２８】
なお、変位ギヤ３０の回動孔３０１の周囲には、比較的、線径が細く、低い弾性を有するスプリングＳ１が取り付けられ、変位ギヤ３０自体を非噛合方向に回動させるように付勢するものである。つまり、変位ギヤ３０に何も外力が働かなければ、変位ギヤ３０は不動ギヤ２０から離開し噛合を断つように付勢されるものである。しかし、本実施例では、上記スプリングＳ１よりも大きな弾性力（付勢力）を有するスプリングＳ２（これについては後述）の作用によって、変位ギヤ３０は、常態では、不動ギヤ２０と噛み合うように付勢される。
【００２９】
次に、カム４０について説明する。カム４０は、不動ギヤ２０のボス２０４に回動自在に保持されるものであり、この回動によって各変位ギヤ３０を一挙に噛合方向に回動（変位）させるものである（言わば切替部材）。カム４０の形状としては、一例として図２に示すように、四角板状に形成されたカム本体４０１を主として、この中央部に回動孔４０２が貫通状態に形成され、この回動孔４０２が不動ギヤ２０のボス２０４に外嵌めされることにより、カム４０が回動自在に構成される。
また、四角板状を成すカム本体４０１の隅部（四角形状の角部）には、拡径方向に張り出す部位（これを噛合押圧部４０３とする）が形成され、変位ギヤ３０を不動ギヤ２０に噛み合わせる際には、カム本体４０１の回動（噛合方向への回動）によって、この噛合押圧部４０３を、変位ギヤ３０の内周部に当接させ、このもののギヤ部３０２を外周方向に張り出させて、不動ギヤ２０との噛合を図るものである。
【００３０】
更に、四角板状を成すカム本体４０１には、後述するプーリー６０に嵌め込むためのドッグ４０４が立設される。このドッグ４０４は、各々の変位ギヤ３０に対応して噛合押圧部４０３の近傍に四本形成され、このドッグ４０４をプーリー６０に嵌め込むことにより、カム４０がプーリー６０と共に回動・回転するように構成されている。このため、ドッグ４０４は、カム４０（カム本体４０１）とプーリー６０とを接続する連結部とも言えるものである。
なお、ドッグ４０４を変位ギヤ３０に対応して四本形成したことにより、カム４０の噛合方向への回動つまり噛合押圧部４０３による変位ギヤ３０の押し広げ作用が、確実に且つ均等に行われるという効果が見込まれる。
【００３１】
次に、ベース５０について説明する。このものは、言わば不動ギヤ２０のギヤ部２０２内を閉塞するような蓋部材である。すなわち、不動ギヤ２０は、一側面に設けられた側壁２０３により、ギヤ部２０２内に上記変位ギヤ３０やカム４０を収容するスペースが形成されており、ベース５０は、このスペースを、各部材を収めた状態で、側壁２０３の対向側から閉塞するものである。
ただし、ベース５０は、不動ギヤ２０（固定フレーム１）に対して回動・回転自在に形成されるものである。具体的には、一例として図３に示すように、不動ギヤ２０のボス２０４にベース５０を嵌め込んだ後、後述する軸押さえ７０をボス２０４の端面に取り付けることによって、ベース５０は軸方向への移動が阻止され、ボス２０４周りの回動・回転のみが許容されるものである。なお、不動ギヤ２０とベース５０との間にはカラー５１が設けられ、このカラー５１は両部材間の間隔を保持する作用を担うが、ベース５０の回動・回転を行い易くする作用も担い、このためカラー５１には摺動性や耐摩耗性等に優れた合成樹脂製の素材（例えばポリアセタール樹脂）が適用されることが好ましい。
【００３２】
該ベース５０の形状としては、例えば図２に示すように、そのほぼ中央部に形成される短寸の円管部５０１と、円管部５０１の外周側にほぼ一定幅で形成されるフランジ部５０２とを具えて成り、これらの間が径方向に部分的にスポーク状に接続されて成るものである（ここでは四カ所接続され、ここを接続部５０３とする）。
なお、円管部５０１の内側は、不動ギヤ２０のボス２０４にベース５０を嵌め込む際の保持孔になり（回動・回転自在の保持孔）、また円管部５０１の外側は、後述するプーリー６０を遊嵌状態に取り付ける際のボスとなるものである（図３参照）。
また、円管部５０１とフランジ部５０２とをつなぐ接続部５０３が、部分的に形成されるのは、接続部５０３同士の間を貫通状態に形成するためであり、この貫通部分には前記カム４０のドッグ４０４が突き刺し状に通される。すなわち、この貫通部分は、カム４０のドッグ４０４がベース５０と接触することなく回動できるように形成された部位である（そのため、この貫通部分を回動許容孔５０４とする）。従って、この回動許容孔５０４は、ドッグ４０４の回動軌跡に応じて、円弧状を成す長孔状に形成されることが好ましい。
【００３３】
また、フランジ部５０２は、変位ギヤ３０側の面に、このものを回動自在に保持するためのボス５１０が立設されるとともに、そのボスの根元付近には、前記スプリングＳ１の一端が差し込まれる差込穴５１１が形成される。このため、ボス５１０にはスプリングＳ１と変位ギヤ３０とが取り付けられるものである。
また、フランジ部５０２において、その反対側のプーリー６０側の面には、後述するパイプブラケット８０を受け入れるためのガイド面５１５が緩やかな曲面状に凹陥形成されている。
またフランジ部５０２における、当該端面部分には、ガイド面５１５以外の平滑部分に、パイプブラケット８０をボルト等によって締結するためのネジ切りが施され、ここをメネジ部５１６とするものである。ここで図中符号Ｂ２は、この締結用のボルトである（図では六角穴付ボルトを図示）。なお、このような構成上、可動フレーム２の傾倒姿勢を変更すべく、パイプブラケット８０を回動・回転させた際には、ベース５０ひいては非噛合状態の変位ギヤ３０もこれに追随し、同方向に回動・回転を行うものである。
【００３４】
またベース５０とプーリー６０との間には、プーリー６０（カム４０）を常に噛合方向に付勢回動させるためのスプリングＳ２が設けられるものである。このためフランジ部５０２のプーリー６０側の面には、このスプリングＳ２の一端を受け入れる掛止溝５１７が切り込み状に形成される。なお、スプリングＳ２の噛合方向への付勢力（弾性力）は、上記スプリングＳ１の非噛合方向への付勢力（弾性力）よりも大きく設定されており、このため本実施例では、通常、スプリングＳ２の付勢力が勝り、常態で変位ギヤ３０が不動ギヤ２０に噛み合い、可動フレーム２の適宜の傾倒姿勢が維持ロックされるものである。
【００３５】
次に、プーリー６０について説明する。プーリー６０は、常態ではスプリングＳ２の弾性力によって、カム４０と共に噛合方向に付勢されるものである（これにより変位ギヤ３０を不動ギヤ２０に噛み合わせるものである）。
該プーリー６０の具体的形状としては、例えば図２に示すように、略円盤状を成すプーリー本体６０１のほぼ中央部に、ベース５０の円管部５０１に遊嵌状態に嵌め込まれる保持孔６０２が開口されるものであり、この保持孔６０２に一部が掛かるように受入溝６０３が切欠き状に形成され（ここでは四カ所）、この受入溝６０３によってカム４０のドッグ４０４が保持される。
また、プーリー本体６０１の外周面には、ワイヤＷを巻き取り状に受け入れるワイヤ案内溝６０４が形成される。また、この溝の一部にはワイヤＷの端部（本実施例では球体状に形成されるが太鼓状等にも形成され得るため、これをワイヤエンドＥとする）を収める孔が、ワイヤ案内溝６０４に掛かるように形成され、ワイヤエンドＥは、プーリー６０の側面から収容される（収容部分をワイヤ端受入部６０５とする）。このため、ワイヤ端受入部６０５は、ワイヤ案内溝６０４によって開放形成されるものの、外方に向かって窄まるように形成されており、これにより一旦、ワイヤ端受入部６０５に嵌め込んだワイヤエンドＥを、外側（拡径方向）に引っ張っても抜けないように考慮されている。
【００３６】
また、プーリー６０におけるベース５０側の面には、上記スプリングＳ２の他端部を受け入れる掛止溝６０６が切り込み状に形成される。
また、プーリー６０にワイヤエンドＥが取り付けられ、このものに巻回されるワイヤＷの他端側（先端側）は、後述するパイプブラケット８０の内部から可動フレーム２の内部を通って、その先に設けられる操作レバー１０に取り付けられている。すなわち、一例として図２に示すように、可動フレーム２の先端側で、操作レバー１１が握られると、ワイヤＷが直線的に引かれ（手繰られ）、このワイヤＷの直線作動（直線運動）が、プーリー６０によって回転作動（回転運動）に変換されて、カム４０の非噛合方向への回動となり、変位ギヤ３０の噛合状態が解除される。もちろん、噛合状態が解除されるのは操作レバー１１を握った時だけであり、操作レバー１１を戻せば、スプリングＳ２の弾性による戻り作用で、再び、通常の噛合状態となるものである。
【００３７】
次に、軸押さえ７０について説明する。軸押さえ７０は、上記図３に示すように、変位ギヤ３０・スプリングＳ１を装着したベース５０や、カム４０等を不動ギヤ２０のボス２０４に取り付けた後、このボス２０４の端面にボルトＢ１等により取り付けられるものであり、言わばボス２０４に嵌めたベース５０等が外れないようにするものである。
なお、軸押さえ７０も、一例として図２に示すように、軸押さえ本体７０１が円板状に形成されるが、プーリー６０の内側（保持孔６０２）に適宜のクリアランスを設けて収まるよう、その外径寸法が設定される（プーリー６０の保持孔６０２よりも幾らか小さく形成される）。
なお、図中符号７０２は、軸押さえ７０を不動ギヤ２０のボス２０４に固定する際に、ボルト等を通すためのボルト挿通孔である。
【００３８】
次に、パイプブラケット８０について説明する。パイプブラケット８０は、可動フレーム２と一体化されるものであり、可動フレーム２と同様に内部が空洞状に形成される。そして、この空洞構造によって、プーリー６０に巻回したワイヤＷを可動フレーム２内へと導入している。
パイプブラケット８０は、一例として図２に示すように、可動フレーム２を短寸状で且つ半割り状に形成したパイプ部８０１と、このパイプ部８０１の外側に円状に形成されるフランジ部８０２とを具えて成るものである。
パイプ部８０１は、例えば可動フレーム２の断面形状（長手方向に対して垂直な断面）が、ほぼ長円となるパイプ状である場合には、断面がその外郭形状に従って長軸（長円の長軸）で半割りされた状態に形成される。なお、可動フレーム２についても、パイプ部８０１を取り付けるために、半割り状の切欠きが形成されるものであり、ここにパイプブラケット８０（パイプ部８０１）を溶接等によって取り付けるものである。つまり、パイプ部８０１を可動フレーム２の半割り状に形成したのは、可動フレーム２に取り付けるためと言える。
【００３９】
フランジ部８０２は、ベース５０とパイプブラケット８０との間にプーリー６０や軸押さえ７０を収めた状態で、ベース５０との固定（一体化）を図る部位であり、径寸法やボルトＢ２等による取付仕様が、ベース５０のフランジ部５０２と同様に形成される。また、このためフランジ部８０２には、ベース５０のメネジ部５１６に対応する位置に、ボルトＢ２等を通すためのボルト挿通孔８０３が形成される。
【００４０】
ここで、前記パイプブラケット８０（パイプ部８０１）が取り付けられる可動フレーム２について補足説明しておく。可動フレーム２には、一例として図１、２に示すように、その回動先端部となる操作側（パイプブラケット８０の反対側）に、固定バー１０と、回動自在の操作レバー１１とが設けられるものであり、図中符号１２は操作レバー１１の回動支点である。操作レバー１１には、上述したようにワイヤＷの他端側が取り付けられるため、操作レバー１１は、通常、前記スプリングＳ２の弾性力（引っ張り）によって、固定バー１０に対して離反（離開）するように付勢されており、このとき不動ギヤ２０と変位ギヤ３０が上述したように噛合するため、可動フレーム２の姿勢（非回動状態）が維持ロックされる。一方、可動フレーム２を傾倒させる際には、上記両ギヤ部材の噛合状態を一旦、解除するために、操作レバー１１を握って、これを固定バー１０に接近させるものであり、これによりワイヤＷが手繰られ（引かれ）、最終的に両ギヤ部材の噛合が断たれるものである（詳細は後述する）。
【００４１】
なお、実際に人（操作者）が操作レバー１１を握る際には、例えば図２に示すように、固定バー１０に親指を掛けながら、他の指で操作レバー１１を握る操作となり、この状態のまま（操作レバー１１を握ったまま）固定バー１０を上下方向に回動させて、可動フレーム２を傾倒させるものである。もちろん、操作レバー１１の握りを戻せば、当然、両ギヤ部材は噛合状態となり、可動フレーム２の姿勢が新たな傾倒状態で維持ロックされるものである。
【００４２】
また、以上のような構成であるため、可動フレーム２の傾倒（回動）は、パイプブラケット８０やベース５０を伴った回動となり、更には、ベース５０のボス５１０に保持された各変位ギヤ３０も非噛合状態のまま不動ギヤ２０の内側で回転を行うものである（ボス２０４を中心とした回転）。すなわち、可動フレーム２を傾倒させる際には、非噛合状態の各変位ギヤ３０も回動・回転するものであり、言い換えれば、各変位ギヤ３０を噛合状態とした際に、可動フレーム２が傾倒しない状態（維持ロック状態）を得るものである。
なお、可動フレーム２には、上述した部材以外にも、例えば図１に示すように、屋外での使用や、ベビーカー／車椅子等への流用等を考慮して、回動自在の日除け１５、折り畳み自在のフットレスト１６、回動可能な押し手バー１７等が適宜設けられる。
【００４３】
本発明のロックアジャスト機構４は、以上のような基本構造を有するものであり、以下、この機構によって可動フレーム２を適宜傾倒させる態様について説明する。なお、説明にあたっては、可動フレーム２の姿勢が本機構によって維持ロックされた状態から説明する。
（１）可動フレームの維持ロック状態
この状態では、まず二つのギヤ部材が噛合状態に設定されている。すなわち、スプリングＳ２がスプリングＳ１よりも大きな弾性力（付勢力）を有するため、例えば図１、４（ａ）に示すように、カム４０（噛合押圧部４０３）が四つの変位ギヤ３０の内側に当接する噛合方向の回動を行い、このためにギヤ部３０２が外周側に張り出し、変位ギヤ３０（ギヤ部３０２）が不動ギヤ２０（ギヤ部２０２）と噛み合うものである。このような噛合状態では、変位ギヤ３０を保持しているベース５０や、このベース５０に締結されたパイプブラケット８０が不動（非回動）状態に設定される。そのため、該パイプブラケット８０に固定される可動フレーム２も不動（非回動）状態に設定され、この姿勢が維持ロックされるものである。
【００４４】
また、カム４０を上記のように噛合方向に回動させるスプリングＳ２を具えたプーリー６０には、ワイヤＷが取り付けられており（巻き付けられており）、このワイヤＷの他端が可動フレーム２の先端側の操作レバー１１に取り付けられている。このため、上記スプリングＳ２の弾性力（付勢力）は、ワイヤＷを介して操作レバー１１にもおよび、操作レバー１１は、固定バー１０から最大限離反（離開）した状態に設定される（図２参照）。なお、図５（ａ）が、このような椅子Ａの維持ロック状態の一例である。
【００４５】
（２）維持ロック状態の解除
このような維持ロック状態から可動フレーム２を傾倒させるには、まずこの維持ロック状態つまり両ギヤ部材の噛合状態を解除するものである。
これには、まず操作者が操作レバー１１を握る（引く）ものであり、この操作は、例えば図２に示すように、固定バー１０に親指を掛けながら、他の指で操作レバー１１を握る操作が一般的である。このレバー操作により、スプリングＳ２の付勢力に抗してワイヤＷが手繰られ、プーリー６０とカム４０が、例えば図４（ｂ）に示すように、非噛合方向に回動するものである。ここでレバー操作の際には、ベース５０自体は回動せず、ベース５０の両側に位置するプーリー６０とカム４０だけが共に回動するものである。すなわち、不動状態のベース５０に対し、これを貫通するカム４０のドッグ４０４が回動するが、これはベース５０に回動許容孔５０４（カム４０のドッグ４０４が貫通する孔）が形成されているためである。
【００４６】
そして、このようなカム４０の非噛合方向への回動は、変位ギヤ３０にとっては、スプリングＳ２の付勢力が徐々に断たれ、カム４０による押圧（突き出し）作用が解除されることであるため、変位ギヤ３０には、次第にスプリングＳ１の付勢力が作用し始める。このスプリングＳ１の付勢は、変位ギヤ３０を非噛合方向に回動させるものであるから、スプリングＳ２の付勢力が作用しなくなれば、当然、変位ギヤ３０はギヤ部３０２が不動ギヤ２０から離反（離開）し、上記図４（ｂ）のような非噛合状態となる。
このようにして、両ギヤ部材の噛合が遮断されると、この非噛合状態のまま変位ギヤ３０は、不動ギヤ２０のボス２０４の周りを自由に回転（空転）できる状態となる。つまり、変位ギヤ３０がベース５０や可動フレーム２等と共に自由に回転（傾倒）できる状態となる。もちろん、このような非噛合状態は、操作レバー１１を握ったままの状態で実現されるものである。
【００４７】
以上述べたように本実施例では操作レバー１１を握ることにより、両ギヤ部材の噛合状態を一時的に遮断し、このままの状態で可動フレーム２を任意の角度に傾倒させるものである。なお、傾倒角度の最小間隔は、ギヤ部材の噛合歯の１ピッチであるため、噛合歯の形成状況により、極めて小刻みな設定が可能となる。少なくとも、通常の座椅子に用いられるラチェット機構よりも、多段階での設定が行えるものである。また、傾倒角度を設定する方向も自由であるため、つまり座椅子で言えば、背もたれを起こす方向にも、倒す方向にもどちらにも設定できるため、極めて設定が行い易いものである。また本実施例では、可動フレーム２の姿勢を変更するには、操作レバー１１を握り、両ギヤ部材の噛合を一時的に遮断するだけで行えるため、可動フレーム２を全体的に左右方向に動かす必要がなく、操作性も極めて良いものである。
【００４８】
（３）新たな姿勢の維持ロック
可動フレーム２を適宜の傾倒角に設定した後は、操作レバー１１の握りを解除する。この操作によって、スプリングＳ１よりも弾性力（付勢力）の勝るスプリングＳ２が再び作用するため、プーリー６０やカム４０を介して再び変位ギヤ３０が噛合方向に回動する。これにより、変位ギヤ３０のギヤ部３０２が外周側に張り出し、不動ギヤ２０と噛み合うものである（図４（ｃ）参照）。そして、この噛合状態で、新たに設定した可動フレーム２の姿勢（傾倒）が維持ロックされる。因みに、図５（ｂ）が、可動フレーム２を適宜傾倒させた後の、維持ロック状態の一例である。
なお、上記説明では、主に固定フレーム１に対し可動フレーム２のみを傾倒させるように説明したが、これはあくまでも固定フレーム１に対する相対的な回動であれば構わないため、例えば、実際の使用状況や本発明を適用する対象製品等によっては、固定フレーム１を回動させる場合もあり得るし、両方のフレームを回動させる場合も考えられる。
【００４９】
〔他の実施例〕
本発明は、以上述べた実施例を一つの基本的な技術思想とするものであるが、更に次のような改変が考えられる。すなわち上述した基本の実施例では、固定フレーム１に対する可動フレーム２の姿勢（傾倒角）を維持ロックするには、比較的強い弾性を有するスプリングＳ２を用い、このものの付勢力によってプーリー６０やカム４０を噛合方向に回動させ、変位ギヤ３０を不動ギヤ２０に噛合させている（維持ロック状態を得ている）。しかし、スプリングＳ２は、維持ロック状態を得る上で、必ずしも必須の構成部材ではないため、以下、この実施例（一例）について説明する。
この実施例は、例えば図６に示すように、可動フレーム２の回動先端側に設けられる操作レバー１１０を、可動フレーム２の傾倒が行えないように固定する維持ロック位置と、この状態を解除する傾倒許容位置との２ポジションに切り替えられるようにしておくものである。また、この操作レバー１１０と共に回動するプーリー６１に（回転中心の周りに）、交互に行き違い状に動く一対のワイヤＷ１・Ｗ２を巻き取り状に取り付け、各ワイヤＷ１・Ｗ２のワイヤエンドＥ１・Ｅ２を、このプーリー６１に掛止しておく。また、各ワイヤＷ１・Ｗ２の他端側は、既に述べたプーリー６０に、それぞれ一定範囲、巻回させておく構成を採る（ここでも各ワイヤエンドをＥ１・Ｅ２とする）。なお、本実施例の場合には、図示は省略したが、変位ギヤ３０を非噛合方向へ付勢回動させるスプリングＳ１は設けておくものとする。
【００５０】
このような構成により、例えば可動フレーム２の維持ロック状態を得るには、スプリングＳ１の非噛合方向への付勢に抗して、操作レバー１１０を手前に引いて維持ロック位置に設定するものであり、これによりワイヤＷ２・プーリー６０を介してカム４０が、変位ギヤ３０を不動ギヤ２０の方に押し込んで、両部材の噛合状態を得るものである。この状態では、カム４０が変位ギヤ３０を内周側（ギヤ部３０２の背面）から押すため、変位ギヤ３０が噛合位置にとどまり、維持ロック状態が保持されるものである
【００５１】
一方、この状態を解除するには、操作レバー１１０を前方に押して（倒して）、傾倒許容位置に設定するものである。このレバー操作により、今度はカム４０がワイヤＷ１・プーリー６０を介して非噛合方向に回動するため、変位ギヤ３０はスプリングＳ１の付勢力によって、不動ギヤ２０から離反する方向（非噛合方向）に回動し、噛合状態が断たれるものである。
このように、傾倒許容位置では、両ギヤ部材の噛合が完全に断たれるものであり、この状態で可動フレーム２の傾倒角を適宜変更（調整）するものである。そして、傾倒角（姿勢）が決まったら、再度、スプリングＳ１の付勢力に抗して、操作レバー１１０を引き戻し、維持ロック位置に設定するものである。
なお、操作レバー１１０（プーリー６１）の回動をプーリー６０に伝達するものは必ずしもワイヤに限定されるものではなく、ロッドなどを適用することも可能である。また、本図６では、先に述べた基本の実施例を踏襲し、プーリー６０を介してカム４０を回動させているが、直接、ワイヤＷ１・Ｗ２の作動をカム４０に伝えることができれば、プーリー６０は省略することも可能である。
【００５２】
また、図６の実施例では、可動フレーム２の姿勢を維持ロックするのに、変位ギヤ３０の背面をカム４０（噛合押圧部４０３）で押すことにより、この状態を維持するようにしている。しかし、各変位ギヤ３０には常にスプリングＳ１による非噛合方向への付勢が付与されることや、例えば可動フレーム２を座椅子の背もたれとして適用したような場合には、使用者が自らの上体で維持ロック状態の背もたれ（可動フレーム２）に強くもたれ掛かること、あるいは自らの上体を使って背もたれに揺れ（振動）を加えること等が考えられる。このため、維持ロック位置に設定した操作レバー１１０については、このものを当該位置で固定し、より確実に可動フレーム２の維持ロック状態を保持することが好ましい。このような固定手段により、可動フレーム２の維持ロック状態が不用意に解除されてしまうことがないものである。なお、上記固定手段としては、操作レバー１１０と可動フレーム２とにおいて閂状にピンを差し込む手法や、蝶ボルト等によるネジ込み、あるいは出没自在に設けたラッチ等が採用できるものである。
【００５３】
更に、上記図６に示した実施例では、カム４０の回動と、変位ギヤ３０の回動とは、直接、連動するものではないため（これは基本の実施例でも同じ）、スプリングＳ１を設けて変位ギヤ３０に非噛合方向への付勢を常に付与している。従って、カム４０の回動と、変位ギヤ３０の回動とを直接連動させれば、スプリングＳ１も排除することができるものであり、これが図７に示す実施例である。すなわち、図７に示す実施例は、カム４０と変位ギヤ３０とをリンク状に連結するものであり、具体的にはカム４０から変位ギヤ３０側に伸びるアーム４０６を形成しておき、このアーム４０６にはピン４０７を立設しておく。一方、変位ギヤ３０には、このピン４０７を挿入する連結孔４０８を開口しておき、アーム４０６のピンを、この連結孔４０８に差し込むように双方を組み付ける。もちろん、連結孔４０８は、カム４０が非噛合方向に回動した際に、変位ギヤ３０を不動ギヤ２０から離反させるような形状に形成される。このような構成により、維持ロック状態では連結孔４０８の一端側（図７においては向かって右端側）に位置していたピン４０７を、傾倒許容状態では連結孔４０８の他端側（図７では向かって左端側）に位置させることができ、スプリングＳ１を用いなくても、カム４０の非噛合方向への回動に伴い、直接、変位ギヤ３０を非噛合方向に回動させることができるものである。
【００５４】
また、先に述べた基本の実施例では、変位ギヤ３０を回動自在に形成しており、これ自体、カム４０やプーリー６０が回動するため、機構上における全体構成のバランスが図れ、構造として採用し易い構成と考えられる。しかしながら、変位ギヤ３０の作動、つまり不動ギヤ２０への接近／離反は、必ずしもこのような回動によるものに限定されるものではない。例えば図８に示すように、変位ギヤ３０を、不動ギヤ２０の径方向に直線移動できるように構成し、このような作動によってギヤ部材の噛合／非噛合状態を切り替えるようにすることが可能である。なお、この実施例においても、図示は省略したが、各変位ギヤ３０には、このものを非噛合方向に付勢する（弱い付勢力）スプリングＳ１等をベース５０との間に設けるものである。もちろん、本実施例のように、特に変位ギヤ３０を直線的に作動させるものにあっては、変位ギヤ３０に付勢を与えるものとして、上記スプリングＳ１以外にもゴムやスポンジ等が適用し易いものである。なお、図中符号Ｒは、変位ギヤ３０を直線的に移動させるための軌道であり、これもベース５０に形成されるものである。
【００５５】
また、先に述べた基本の実施例では、両ギヤ部材（不動ギヤ２０と変位ギヤ３０）を、内歯車状に形成するものであり、これ自体、両ギヤ部材の噛合代を比較的広く獲得できる点で、言い換えれば、一旦、設定した可動フレーム２の姿勢を強固に維持ロックするのに適した構成と言える。
しかしながら、両ギヤ部材は、必ずしも内歯車状の構成に限定されるものではなく、例えば図９に示すように、外歯車状に形成することも可能である。すなわち、固定フレーム１側の不動ギヤ２０についてはギヤ部２０２を中央に形成し、この外周側に変位ギヤ３０を回動自在に配置することが可能である。なお、本実施例においては、このような構成上、変位ギヤ３０を噛合／非噛合方向に回動させるカム４０は、変位ギヤ３０の外周側に設けられるものである。因みに、本図９では、噛合状態を実線で描き、非噛合状態を想像線で描いている。
【産業上の利用可能性】
【００５６】
本発明は、リクライニング式の椅子等の背もたれの角度設定のほか、ベビーカーや車椅子のチェア部分の角度設定、あるいは医療用ベッドにおいて療養者の上体を受ける背板を起こす際の傾倒角の設定等においても利用することができる。
【符号の説明】
【００５７】
Ａ      リクライニング式の椅子（ロックアジャスト機構を適用した）
１      固定フレーム
２      可動フレーム
３      チェア本体
４      ロックアジャスト機構
２      可動フレーム
１０    固定バー
１１    操作レバー
１１０  操作レバー
１２    回動支点
１５    日除け
１６    フットレスト
１７    押し手バー
４      ロックアジャスト機構
２０    不動ギヤ
２０１  固定フレーム接続部
２０２  ギヤ部
２０３  側壁
２０４  ボス
２０５  メネジ部
３０    変位ギヤ
３０１  回動孔
３０２  ギヤ部
４０    カム
４０１  カム本体
４０２  回動孔
４０３  噛合押圧部
４０４  ドッグ
４０６  アーム
４０７  ピン
４０８  連結孔
５０    ベース
５１    カラー
５０１  円管部
５０２  フランジ部
５０３  接続部
５０４  回動許容孔
５１０  ボス
５１１  差込穴
５１５  ガイド面
５１６  メネジ部
５１７  掛止溝
６０    プーリー
６１    プーリー
６０１  プーリー本体
６０２  保持孔
６０３  受入溝
６０４  ワイヤ案内溝
６０５  ワイヤ端受入部
６０６  掛止溝
７０    軸押さえ
７０１  軸押さえ本体
７０２  ボルト挿通孔
８０    パイプブラケット
８０１  パイプ部
８０２  フランジ部
８０３  ボルト挿通孔
Ｅ      ワイヤエンド
Ｅ１    ワイヤエンド
Ｅ２    ワイヤエンド
Ｗ      ワイヤ
Ｗ１    ワイヤ
Ｗ２    ワイヤ
Ｒ      軌道
Ｂ１    ボルト
Ｂ２    ボルト
Ｓ１    スプリング
Ｓ２    スプリング
【図１】
2010252843.tif 000003
【図２】
2010252843.tif 000004
【図３】
2010252843.tif 000005
【図４】
2010252843.tif 000006
【図５】
2010252843.tif 000007
【図６】
2010252843.tif 000008
【図７】
2010252843.tif 000009
【図８】
2010252843.tif 000010
【図９】
2010252843.tif 000011